(57)【要約】【課題】  薄鉄板補強材と縦枠との接触をなくし、薄鉄板補強材の存在による石膏ボードの浮上りを効果的に抑制できる壁パネルを提供する。【解決手段】  枠材に石膏ボード４を貼着した壁パネル１において、枠材を構成する左右の縦枠３間にて水平方向に延びる帯板状の薄鉄板補強材５を、その端部が縦枠３に接しないようにして設ける。【選択図】図１
2006152547.tif 000002
【特許請求の範囲】
【請求項１】
枠材に石膏ボードを貼着した壁パネルであって、枠材を構成する左右の縦枠間にて水平方向に延びる帯板状の薄鉄板補強材が、その端部が縦枠に接しないようにして設けられていることを特徴とする壁パネル。
【請求項２】
薄鉄板補強材の端部が、縦枠に接しないように縦枠の内側面近傍に位置していることを特徴とする請求項１記載の壁パネル。
【請求項３】
薄鉄板補強材の端部が、縦枠に接しないように、左右の縦枠それぞれの内側面に設けられた桟材間に架設されていることを特徴とする請求項１記載の壁パネル。
【請求項４】
薄鉄板補強材は、その上横辺部を壁パネルの内方且つ下方に折り曲げたものとなっていることを特徴とする請求項１ないし３のいずれかに記載の壁パネル。
【発明の詳細な説明】
【技術分野】
【０００１】
本願発明は、枠材に石膏ボードを貼着して構成されるパネル体内に補強材を設けた壁パネルに関するものである。
【背景技術】
【０００２】
集合住宅向けの壁パネル、特に高層マンションなどに多用される壁パネルは、コスト削減と機能強化とを満足させる必要があり、現場対応型の壁パネルにおいても、工場出荷段階で現場に合わせた構成にしておき、現場での施工時間を短縮することが必要である。
【０００３】
この観点から、従来、壁パネルを、枠材の両面または片面に石膏ボードを貼着して構成し、これにおいて左右の縦枠間に延びた水平方向の補強材を設けることが知られている。
【０００４】
たとえば下記特許文献１は、浴室を一実施例とするユニットルームの壁パネルについてのものであって、縦枠の記載はないものの、帯板状の補強材を、化粧板等の表面材を裏打ちする石膏ボード等の裏打ち材に取り付けることが記載されている。
【０００５】
また、たとえば下記特許文献２は、壁パネルに関するものではないものの、建築内装用の壁や間仕切り用の壁において帯状鋼板からなる補強金具を設けることが記載されている。
【特許文献１】特開平８−４２０５６号公報
【特許文献２】特開平７−３００９２４号公報
【発明の開示】
【発明が解決しようとする課題】
【０００６】
しかしながら、枠材に石膏ボードを貼着した壁パネルにおいては、補強材、特に薄鉄板からなる補強材が壁パネルの端部分にまで設けられていると、その端部分において石膏ボードが浮き上がり、隣接する壁パネルとの間で段差が生じてしまう恐れがある。
【０００７】
そこで、以上のとおりの事情に鑑み、本願発明は、枠材に石膏ボードを貼着した壁パネルにて左右の縦枠間に水平方向に延びる薄鉄板補強材を設ける場合において、上述した点を改善することのできる壁パネルを提供することを課題としている。
【課題を解決するための手段】
【０００８】
本願発明は、上記の課題を解決するものとして、第１には、枠材に石膏ボードを貼着した壁パネルであって、枠材を構成する左右の縦枠間にて水平方向に延びる帯板状の薄鉄板補強材が、その端部が縦枠に接しないようにして設けられていることを特徴とする。
【０００９】
第２には、前記薄鉄板補強材の端部が、縦枠に接しないように縦枠の内側面近傍に位置していることを特徴とする。
【００１０】
第３には、薄鉄板補強材の端部が、縦枠に接しないように、左右の縦枠それぞれの内側面に設けられた桟材間に架設されていることを特徴とする。
【００１１】
第４には、前記薄鉄板補強材は、その上横辺部を壁パネルの内方且つ下方に折り曲げたものとなっていることを特徴とする。
【発明の効果】
【００１２】
上記のとおりの特徴を有する第１の発明では、壁パネルの端部分における取り合いを考慮し、少なくとも壁パネルの枠材を構成する縦枠に端部が接しないように薄鉄板補強材を設けることで、縦枠が位置する壁パネルの端部分を除くと薄鉄板補強材の膨らみは壁パネル全体で平均化されて目立たなくなり、よって隣接する壁パネルとの間つまりパネル目地部分で段差が生じることを防ぐことができる。すなわち、薄鉄板補強材なしの壁パネルと薄鉄板補強材付きの本願発明の壁パネルが互いに隣接する場合において、薄鉄板補強材なしの壁パネルに接する縦枠部分に薄鉄板補強材がかからず、この部分での脹らみが防止されるので、直接隣接壁パネルとの取り合いにおいて段差が目立ちやすいこの部分での段差発生を防ぐことができるのである。したがって、コスト削減および機能強化を満足させながら外観・意匠上も優れた壁パネルを実現できるようになる。
【００１３】
より具体的には、上記第２や上記第３の発明のように、薄鉄板補強材の端部を、縦枠の内側面近傍に位置させたり、左右の縦枠それぞれの内側面に設けた桟材間に架設させたりすることで、上記効果をより確実に実現させることができる。
【００１４】
また、上記第４の発明のように、薄鉄板補強材の上横辺部を壁パネルの内方且つ下方に折り曲げたものとすることで、薄鉄板補強材自体の強度をさらに高め、また壁パネル内に電線等を通線させる場合においてその電線の薄鉄板補強材への引っ掛かりを抑制できるようにもなる。
【発明を実施するための最良の形態】
【００１５】
図１は、本願発明の一実施形態を示したものである。
【００１６】
本実施形態における壁パネル１は、上下の横枠２と左右の縦枠３とで構成される枠材の両面に表面材としての石膏ボード４が貼着されており、且つ縦枠３間にてほぼいっぱいに水平方向に延びた帯板状の薄鉄板補強材５（補強下地材とも呼べる）が、２本上下平行に設けられている。そして、各薄鉄板補強材５は、その左右端部が、少なくとも左右縦枠３の内側面近傍に位置してそれに接しない状態で、左右縦枠３の互いに対向する内側面に取り付けられた一対の受桟としての桟材６間に架設されている。なお、石膏ボード４が枠材の片面にのみ設けられた壁パネル１であっても良い。
【００１７】
これにおいて、たとえば、薄鉄板補強材５としては、厚さ０．５〜１．２ｍｍ程度の薄鉄板を帯状にしたものを用いることができる。この薄鉄板補強材５は、その撓みを防ぐために石膏ボード４の裏面に当接され且つ接着されていることが好ましい。ただし、石膏ボード４に当接接着されていなくても、桟材６に接着や釘打ち等により固定されて桟材６で支持されることで、ある程度の撓み防止が図られ、この場合に薄鉄板補強材５と石膏ボード４との間に隙間があいていても補強材としての機能は十分に発揮する。なお、石膏ボード４への接着には、金属―石膏接着用の接着剤を用いる必要があることは言うまでもない。
【００１８】
また、たとえば、この薄鉄板補強材５を支持する桟材６としては、薄鉄板補強材５の厚み分だけ薄くしたものを用い、薄鉄板補強材５の表面とそれと接しないが直ぐ隣に位置する縦枠３の表面とが面一になるようにする。
【００１９】
石膏ボード４は、桟材６上の薄鉄板補強材５と面一になった縦枠３、および横枠２に対して、その周端部裏面が当接固定される。
【００２０】
これにより、左右縦枠３間に設けられた薄鉄板補強材５はその端部が縦枠３にかからなくなり、且つ桟材６に支持固定されていてもその厚み分が吸収されているので、壁パネル１を並設させた場合において隣接目地部分における薄鉄板補強材５の存在に起因した石膏ボード４同士の段差は生じなくなり、たとえば表面にクロスを貼るなどしても、目地部分が目立たないのはもちろんのこと、壁パネル１全体でも薄鉄板補強材５の膨らみが平均化されて目立たないので、外観性・意匠性の優れた化粧仕上げを実現できる。
【００２１】
このことは、たとえば図２に例示したように、特に薄鉄板補強材５付きの壁パネル１と薄鉄板補強材５なしの壁パネル１０とを並設させる場合に有用である。同じ枠材を使い、一方は薄鉄板補強材５を設け、他方は設けないとしても、隣接目地部分にて段差が生じることがないためである。
【００２２】
この図２の例では、隣接する縦枠３同士を接合アダプター８を用いて接合させている。また、縦枠３の内側面に設けられた桟材６としては、縦枠３と同じ厚さのものが用いられており、枠材との材料共通化が図られている。この場合においては、桟材６に支持固定される薄鉄板補強材５の表面と縦枠３の表面とを面一にさせる必要があるため、桟材６を薄鉄板補強材５の厚み分だけ段落ちさせている。すなわち、縦枠３と同じ断面矩形状の材料の桟材６（縦枠３用の材料を短く切断したものなど）を、縦枠３とは異なる向き、つまり桟材６の断面短手面を縦枠３の断面長手面に当接させた向きとし、且つそれに固定される薄鉄板補強材５の厚み分だけ壁パネル１内方にずらした位置としているのである。これにより、薄鉄板補強材５と縦枠３とが面一になり、且つその縦枠３を含む枠材に固定される石膏ボード４は、隣接する他の壁パネル１０の石膏ボード４と面一となり、段差のない良好な壁パネル１，１０の並設施工が実現されることとなる。
【００２３】
ところで、上記壁パネル１については、手摺等を設ける場合においてその補強のために上記薄鉄板補強材５を予め設けておくことも考えられるが、この場合において、たとえば図３に例示したように、壁パネル１の幅方向適宜位置（図３では略中央位置。図１も同様）にて上下横枠２間を垂直方向に延びた胴縁７が設けられているときには、薄鉄板補強材５を一方の桟材６とこの胴縁７との間に架設させるようにしてもよい。これによれば、手摺等の取り付けのために補強が必要な部分にのみ薄鉄板補強材５を設けることができる。このときにおいても、薄鉄板補強材５の桟材６側の端部は縦材３に接しないようにする。
【００２４】
なおもちろん、幅の狭い壁パネル１ではこのような胴縁７が無い場合もあることは言うまでもなく、この場合では左右の桟材６間に架設された薄鉄板補強材５に対応する位置に手摺等を取り付ければよい。
【００２５】
またさらに、上記壁パネル１については、その内部に電線等を通線させることも考えられるが、この場合において、上下方向に通線させるときには（図１では横枠２の適宜位置に設けられた通線用孔２１を通す）、薄鉄板補強材５に引っ掛かってしまうのを防ぐために、たとえば図４に例示したように、薄鉄板補強材５を、その上横辺部をその全長に亘って壁パネル１の内方且つ下方に折り曲げたものとすることが好ましい（図中、折曲げ部５１）。これにより、縦方向に延びる電線９を薄鉄板補強材５の上端に引っ掛からないように通線でき、良好な通線形態が確保される。
【図面の簡単な説明】
【００２６】
【図１】本願発明の一実施形態を示した斜視図。
【図２】本願発明の施工例について説明するための図。
【図３】本願発明の別の一実施形態を示した斜視図。
【図４】本願発明のまた別の一実施形態を示した斜視図。
【符号の説明】
【００２７】
１  壁パネル
２  横枠
２１  通線用孔
３  縦枠
４  石膏ボード
５  薄鉄板補強材
５１  折曲げ部
６  桟材
７  胴縁
８  接合アダプター
９  電線
１０  壁パネル
【図１】
2006152547.tif 000003
【図２】
2006152547.tif 000004
【図３】
2006152547.tif 000005
【図４】
2006152547.tif 000006